(57)【要約】【課題】会葬の返礼品を受取人側で自由に選択できるようにし、且つ、コンパクトで簡素化された会葬礼状の提供。【解決手段】書状４を中片４１、右片４１、左片４２から構成し、左片４２表面に会葬御礼挨拶文を、右片４１表面に喪主家名を記し、中片４１の下部にポケット５を設け、該ポケット５に商品申込用はがき２と商品を掲載したカタログ３を重ねて挿し込み、左片４２を内側にして右片４１を重ね折りする。これにより会葬礼状本体が略はがきサイズの為、非常にコンパクトで会葬者の帰路の手荷物として煩わしさを与えない。また、中片の右側に有し、中片と同じ大きさで形成された右片表面には喪主家名を、右片をめくり、中片左側に有した左片には会葬御礼挨拶文を記するため、会葬礼状としての構成を簡素化することができる。【選択図】図１
0003131001.tif 000002
【実用新案登録請求の範囲】
【請求項１】
略はがきサイズの中片の両側に折曲げ可能な右片および左片を有し、前記右片が前記中片と同じ大きさで形成され、該右片の表面に喪主家名を印刷し、左片の表面に会葬御礼挨拶文を印刷すると共に、前記中片の下部にポケットを設けた書状と、
外形が前記書状の中片より小サイズに作製され、前記中片のポケットに挿し込まれる、選択可能な返礼品を申込番号と商品名により掲載したカタログと、
前記カタログから選択した商品を申込番号と商品名を記入して郵送する商品申込用はがきと、から成り、
前記書状のポケットに前記カタログおよび商品申込用はがきを挿し込み、前記左片を内側にして右片を重ね折りした書状を会葬者に手渡すことを特徴とする会葬礼状。
【考案の詳細な説明】
【技術分野】
【０００１】
本考案は、会葬者に渡される会葬御礼挨拶状および返礼品カタログを書状にセットして簡素化された会葬礼状に関する。
【背景技術】
【０００２】
従来、会葬出席時に喪主からの御礼の意を込めた香典返しとしての返礼品が送られる。
返礼品は喪主側があらかじめ用意する品物に限っており、会葬者側にとって本意では無い贈り物になりがちであり、また、会葬者が帰路に着く際の手荷物として非常に不便なものである。
【０００３】
そこで、返礼品を持運びに便利な小さなサイズとし、また、会葬者に手渡されるはがきに印刷された１つか２つの限られた返礼品を選択できる会葬礼状が公知である。
しかし、これらは、例えば婚礼時の引出物等に見られるカタログギフト等とは一線を画し、会葬者側の選択の余地は少ないものであった。
この種の会葬礼状は、例えば特許文献１〜特許文献３に開示されている。
【特許文献１】実用新案登録第３０８１９７５号
【特許文献２】特開２００２−８６９６５号
【特許文献３】特開２００５−２１８６５０号
【考案の開示】
【考案が解決しようとする課題】
【０００４】
本考案の目的は、会葬の返礼品を受取人側で自由に選択できるようにした会葬礼状を提供することにある。
【課題を解決するための手段】
【０００５】
上記の目的を達成するために、本考案に係る会葬礼状は、略はがきサイズの中片の両側に折曲げ可能な右片および左片を有しており、前記右片が前記中片と同じ大きさで形成され、該右片の表面に喪主家名を印刷し、左片の表面に会葬御礼挨拶を印刷すると共に、前記中片の下部にポケットを設けた書状と、外形が前記書状の中片より小サイズに作製され、前記中片のポケットに挿し込まれる、選択可能な返礼品を申込番号と商品名により掲載したカタログと、前記カタログから選択した商品を申込番号と商品名を記入して郵送する商品申込用はがきから成り、前記書状のポケットに前記カタログおよび商品申込用はがきを挿し込み、前記左片を内側にして右片を重ね折りした書状を会葬者に手渡すことを特徴としている。
【考案の効果】
【０００６】
本考案によれば、会葬礼状本体が略はがきサイズの為、非常にコンパクトで会葬者の帰路の手荷物として煩わしさを与えない。また、中片の右側に有し、中片と同じ大きさで形成された右片表面には喪主家名を、前記右片をめくり、中片左側に有した左片には会葬御礼挨拶文を記するため、会葬礼状としての構成を簡素化することができる。
【０００７】
また、中片下部に設けたポケットに商品申込用はがきとカタログを挿し込む構造をとることにより、前記カタログより会葬者である受取人が返礼品を自由に選択可能である。
【０００８】
更に、返礼品の選択用カタログの大きさを、中片に設けられたポケットよりやや小さいサイズで作成するのみの制約で、適宜、該カタログの厚さを考慮すれば、該カタログの項数、即ち会葬者が選択可能な返礼品の品数の制限を減らすことが可能である。
【０００９】
カタログの編集内容に関し、掲載商品の金額を香典の金額に応じた内容で編集し、会葬者に会った返礼が可能である。数種類の金額に応じた内容のカタログを用意しておくだけで、葬儀場で瞬時に会葬者に手渡すことも可能である。
また、カタログの編集内容は会葬者の趣味趣向や、老若男女などを考慮して変えるのも一案である。
【考案を実施するための最良の形態】
【００１０】
会葬の返礼品を受取人側で自由に選択できるようにした会葬礼状を提供する為に、本考案は書状を中片、右片、左片から構成し、中片下部にポケットを設け、前記ポケットよりやや小さく作成した商品申込用はがきとカタログを重ねて挿し込み、前記左片を内側にして右片を重ね折りすることにより実現した。
【実施例１】
【００１１】
図１は本考案に係わる会葬礼状の実施例を表す平面図である。図２は返礼品選択用のカタログ３の商品掲載欄の一例を表す平面図である。
会葬礼状１は、商品申込用はがき２と、返礼品選択用のカタログ３と、それらを包含する書状４から構成される。
【００１２】
以下、本実施例の各構成要素および、セット手順を詳細に説明する。
【００１３】
図３Ａは書状４に商品申込み用はがき２とカタログ３を重ねて挿し込こむ状態を表す斜視図である。
【００１４】
商品申込用はがき２は、表面に返信用宛名２１を印刷し、裏面にカタログ３に掲載されている商品類に対応する商品番号２２および、商品名２３を記入する欄（図示省略。）を設けてある。
【００１５】
商品申込用はがき２に記入する商品番号２２および商品名２３は、カタログ３に掲載された商品類の中から、会葬者である受取人が適宜選択可能に構成されている。カタログ３は１冊の冊子になっている。
【００１６】
また、カタログ３を編集する際、カタログ掲載商品の金額を会葬者の香典の金額に応じた内容で構成し、複数の冊子を作製することも可能である。
カタログ掲載商品の金額を、あらかじめ数種類設定し用意することにより、葬儀場で会葬者から香典を受取り、金額を確認した後、速やかに金額に応じたカタログを入れた会葬礼状を手渡すことが可能である。
更には、カタログ３の内容は、例えば趣味趣向や老若男女などを考慮した編集も一案である。
【００１７】
書状４は、中片４１と、右片４２と、左片４３とから構成されている。
【００１８】
中片４１の下部には、ポケット５が形成されており、商品申込用はがき２とカタログ３は該ポケット５よりやや小さく形成され、重ねて挿し込まれる。（図３Ａの（１）（２）（３）参照。）
【００１９】
ポケット５は商品申込用はがき２とカタログ３が重ねて挿し込まれ、容易に脱落せぬよう保持するのに十分な深さ、厚さと形状をもつ構造となっている。
本実施例では丸みを帯びた形状で説明しているが、形状はこの限りではない。
【００２０】
右片４２は中片４１と同じ大きさで形成され、右片４２の表面には喪主家名１０が印刷される。
【００２１】
左片４３は中片４１の全幅から３分の２程度の幅をもつよう形成されている。左片４３の表面には会葬御礼挨拶分１１が印刷される。
ただし、左片４３の中片４１に対しての幅は本実施例の限りではない。
【００２２】
図３Ｂは書状を折り畳み完成させる状態を表した斜視図である。
中片４１と左片４３の間の谷折線４３ａから、中片４１に覆いかぶさるように左片４３を重ね折る。（図３Ｂの（４）参照。）このとき、会葬御礼挨拶文１１が表面に向く。（図３Ｂの（５）参照。）
【００２３】
次に、中片４１と右片４２の間の谷折線４２ａから、前途折返し済みの左片４３に覆いかぶさるように右片４２を折る。（図３Ｂの（５）参照。）このとき、喪主家名１０が表面に向く。（図３Ｂの（６）参照。）
【図面の簡単な説明】
【００２４】
【図１】本考案に関わる会葬礼状の実施例を表す平面図である。
【図２】返礼品選択用のカタログ３の商品記載欄を表す平面図である。
【図３Ａ】書状に商品申込みはがきとカタログを重ねて挿し込む状態を表す斜視図である。
【図３Ｂ】書状を重ね折り完成させる状態を表した斜視図である。
【符号の説明】
【００２５】
１    会葬礼状
２    商品申込用はがき
３    カタログ
４    書状
５    ポケット
１０  喪主家名
１１  会葬御礼挨拶文
２２  商品番号
２３  商品名
４１  中片
４２  右片
４３  左片
【図１】
0003131001.tif 000003
【図２】
0003131001.tif 000004
【図３Ａ】
0003131001.tif 000005
【図３Ｂ】
0003131001.tif 000006